(57)【要約】【課題】  簡単な構成でありながら、作業場を汚すことなく、ペースタブラシに付着した紙粉を自動的に落とすことができるペースタブラシクリーナーを提供する。【解決手段】  ペースタブラシクリーナーは、輪転機のペースタブラシ３０を回転可能かつ着脱可能に支持するとともに、前記ペースタブラシ３０の下方に、該ペースタブラシ３０の長手方向に沿って設けられた回収部６０を備えている。前記回収部６０は、ペースタブラシ３０に対して昇降可能であるとともに、その上方には毛３４に当接するブレード６２が設けられている。前記ブレード６２を毛３４に当接させた状態でペースタブラシ３０を回転させると、紙粉３８が回収ケース６４内に払い落とされ、更に、吸引ポンプ７４により吸引されて回収される。【選択図】図２
0003101601.tif 000002
【実用新案登録請求の範囲】
【請求項１】
輪転機の紙継装置のペースタブラシに付着した紙粉を除去するためのクリーナーであって、
前記ペースタブラシを回転可能かつ着脱可能に支持する支持手段，
前記ペースタブラシを回転させる回転機構，
前記ペースタブラシの長手方向に沿って設けられており、前記ペースタブラシの毛の部分に当接するブレード，
該ブレードで払い落とされた紙粉を回収する回収手段，
少なくとも前記ブレードを、前記ペースタブラシに対して昇降させる昇降機構，
を備えたことを特徴とするペースタブラシクリーナー。
【請求項２】
前記昇降機構は、前記回収手段を前記ブレードとともに昇降させることを特徴とする請求項１記載のペースタブラシクリーナー。
【請求項３】
回収手段に回収された紙粉を吸引する吸引手段，
該吸引手段と前記回収手段との間に設けられたフィルタ手段，
を備えたことを特徴とする請求項１又は２記載のペースタブラシクリーナー。
【請求項４】
少なくとも前記ペースタブラシ，ブレード，回収手段を収納可能な収納ケースを備えたことを特徴とする請求項１〜３のいずれかに記載のペースタブラシクリーナー。
【請求項５】
輪転機の紙継装置のペースタブラシに付着した紙粉を除去するためのクリーナーであって、
前記ペースタブラシを回転可能かつ着脱可能に支持する支持手段，
前記ペースタブラシを回転させる回転機構，
前記ペースタブラシの長手方向に沿って設けられており、前記ペースタブラシの毛の部分に当接するブレード，
該ブレードで払い落とされた紙粉を回収する回収手段，
前記ブレード及び回収手段を、前記ペースタブラシに対して昇降させる昇降機構，
前記回収手段に回収された紙粉を吸引する吸引手段，
該吸引手段と前記回収手段との間に設けられたフィルタ手段，
少なくとも前記ペースタブラシ，ブレード，回収手段を収納可能な収納ケース，
を備えたことを特徴とするペースタブラシクリーナー。
【考案の詳細な説明】
【技術分野】
【０００１】
本考案は、輪転機の紙継装置のペースタブラシに付着した紙粉を除去するためのペースタブラシクリーナー（紙粉除去装置）に関するものである。
【背景技術】
【０００２】
新聞印刷用輪転機の給紙部には、旧巻取紙（ロール紙，ウェブ）を新巻取紙に貼り付ける自動紙継装置が設けられている。最近の紙継装置では、旧巻取紙を新巻取紙に貼り付けるために、回転軸の周面ほぼ全面に毛が設けられたペースタブラシが用いられている。しかしながら、以上のようなペースタブラシは利用するにつれ、巻取紙の表面から落ちる紙粉が毛の部分に付着して汚れてしまう。そこで、付着した紙粉を定期的に除去する必要があるが、ペースタブラシを利用する紙継装置自体が比較的新しい技術であるため、そのペースタブラシの汚れ落としに関する技術までは提案されていないのが現状である。
【考案の開示】
【考案が解決しようとする課題】
【０００３】
そのため、手作業によってブラシ表面を払って紙粉を落とすといった清掃が行われている場合が多いと考えられている。しかしながら、手作業では紙粉の払い落としに非常に手間がかかる。また、払い落とした紙粉が周囲に飛び散るため、作業者が紙粉を吸い込む恐れがあったり、作業場を汚してしまったりするという不都合がある。
【０００４】
本考案は、以上の点に着目したもので、その目的は、簡単な構成でありながら、作業場を汚すことなく、ペースタブラシに付着した紙粉を自動的に落とすことができるペースタブラシクリーナーを提供することである。
【課題を解決するための手段】
【０００５】
前記目的を達成するため、本考案は、輪転機の紙継装置のペースタブラシに付着した紙粉を除去するためのクリーナーであって、前記ペースタブラシを回転可能かつ着脱可能に支持する支持手段，前記ペースタブラシを回転させる回転機構，前記ペースタブラシの長手方向に沿って設けられており、前記ペースタブラシの毛の部分に当接するブレード，該ブレードで払い落とされた紙粉を回収する回収手段，少なくとも前記ブレードを、前記ペースタブラシに対して昇降させる昇降機構，を備えたことを特徴とする。主要な形態の一つは、前記昇降機構が、前記回収手段を前記ブレードとともに昇降させることを特徴とする。他の形態は、回収手段に回収された紙粉を吸引する吸引手段，該吸引手段と前記回収手段との間に設けられたフィルタ手段，を備えたことを特徴とする。更に他の形態は、少なくとも前記ペースタブラシ，ブレード，回収手段を収納可能な収納ケースを備えたことを特徴とする。
【０００６】
他の考案は、輪転機の紙継装置のペースタブラシに付着した紙粉を除去するためのクリーナーであって、前記ペースタブラシを回転可能かつ着脱可能に支持する支持手段，前記ペースタブラシを回転させる回転機構，前記ペースタブラシの長手方向に沿って設けられており、前記ペースタブラシの毛の部分に当接するブレード，該ブレードで払い落とされた紙粉を回収する回収手段，前記ブレード及び回収手段を、前記ペースタブラシに対して昇降させる昇降機構，前記回収手段に回収された紙粉を吸引する吸引手段，該吸引手段と前記回収手段との間に設けられたフィルタ手段，少なくとも前記ペースタブラシ，ブレード，回収手段を収納可能な収納ケース，を備えたことを特徴とする。本考案の前記及び他の目的，特徴，利点は、以下の詳細な説明及び添付図面から明瞭になろう。
【考案の効果】
【０００７】
本考案は、輪転機の紙継装置のペースタブラシを回転可能かつ着脱可能に支持するとともに、前記ペースタブラシに沿って設けられたブレードを、回転状態のペースタブラシの毛の部分に当接させることによって付着した紙粉を払い落とし、その紙粉を回収手段で回収することとした。このため、簡単な構成でありながら、作業場を汚すことなく、ペースタブラシに付着した紙粉を自動的に除去し、作業効率を向上させるという効果が得られる。
【考案を実施するための最良の形態】
【０００８】
以下、本考案を実施するための最良の形態を、実施例に基づいて詳細に説明する。
【実施例１】
【０００９】
最初に、図１〜図３を参照しながら本考案の実施例１を説明する。図１は、本実施例の全体構成を示す斜視図，図２は、前記図１を＃Ａ−＃Ａ線に沿って切断し矢印方向に見た断面図である。本考案のペースタブラシクリーナーは、新聞印刷用輪転機などの給紙部分に設けられた紙継装置のペースタブラシに付着した紙粉を、自動的に除去するための装置である。
【００１０】
図１に示すように、輪転機の紙継装置（図示せず）から取り外したペースタブラシ３０は、本考案のペースタブラシクリーナー（以下「クリーナー」）１０の収納ケース１２内に収納された状態で紙粉が除去される構成となっている。収納ケース１２は、前面カバー１４，側面カバー１６Ａ及び１６Ｂ，背面カバー１８と、これら上方の開放部に開閉可能に設けられた上面カバー２０により構成されている。前記上面カバー２０は、複数の窓２２を備えている。更に、前記上面カバー２０の両端側と側面カバー１６Ａ及び１６Ｂの内面が、それぞれダンパー２４によって接続されており、上面カバー２０の開閉に伴う衝撃を吸収するようになっている。以上のような前面カバー１４，側面カバー１６Ａ及び１６Ｂ，背面カバー１８，上面カバー２０は、例えば、ステンレスなどにより形成されており、前記窓２２は、例えば、半透明のガラスなどにより形成されている。
【００１１】
一方の側面カバー１６Ａの内側には、前記ペースタブラシ３０の回転軸３２の一端に設けられたベアリング３６Ａを支持するための支持台４０が設けられている。該支持台４０には、前記ベアリング３６Ａの周面の略半分を回転可能に支持するための溝状の受部４２と、残りの周面を回転可能に覆うホルダ４４が設けられている。前記受部４２及びホルダ４４の溝部は、前記ベアリング３６Ａの径よりも若干大きく設定されており、更に、前記ベアリング３６Ａとの摩擦が少ない材質によって形成されている。前記ベアリング３６Ａを受部４２の溝に嵌め込み、その上から前記ホルダ４４を被せて、該ホルダ４４に設けられたピン４６を支持台４０側の穴４８に差し込むことにより、ペースタブラシ３０の一端が回転可能に支持される。なお、ベアリング３６Ａがホルダ４４で覆われてピン４６及び穴４８により固定されているため、ペースタブラシ３０を回転させても受部４２から脱落することがない。
【００１２】
一方、他方の側面カバー１６Ｂの内側には、前記ペースタブラシ３０の他端のベアリング３６Ｂを収納するとともに、前記側面カバー１６Ｂの外側の駆動部８０内に設けられた回転モータ（図示せず）の回転運動をペースタブラシ３０の回転軸３２に伝達するためのホルダ５０が設けられている。前記ホルダ５０は、上部５０Ａ及び下部５０Ｂに分割可能となっており、その径は、前記ベアリング３６Ｂの径よりも若干大きく設定されている。また、ホルダの上部５０Ａ，下部５０Ｂの側面には、前記ペースタブラシ３０の回転軸３２の径と略同一ないし若干小さい径に設定された半月状の切欠５２がそれぞれ形成されている。図３には、ホルダ５０の上部５０Ａ及び下部５０Ｂの固定機構が示されている。図３（Ａ）に示すように、上部５０Ａ及び下部５０Ｂは、収納ケース１２の背面カバー１８側が蝶番５１によって開閉可能に接続されており、前面カバー１４側に設けられたフック５６とレバー５８によって固定される構造となっている。すなわち、ベアリング３６Ｂをホルダの下部５０Ｂに収納し、上部５０Ａで覆ってフック５６及びレバー５８で固定すると、ペースタブラシ３０の回転軸３２がホルダ５０の上下の切欠５２で挟まれて固定される。また、このようなホルダ５０の他方の側面には、前記回転モータの回転を伝達するための軸５４が、側面カバー１６Ｂを介して設けられている。すなわち、図示しない回転モータを駆動すると、軸５４及びホルダ５０が回転するとともに、該ホルダ５０に回転軸３２が固定されたペースタブラシ３０も、図２に矢印Ｆ１で示す方向に回転する機構となっている。
【００１３】
次に、前記ペースタブラシ３０の下方に設けられた回収部６０について説明する。図１に示すように、前記回収部６０は、前記ペースタブラシ３０の長手方向に沿って設けられている。更に図２の断面図も参照すると、回収部６０は、ペースタブラシ３０の回転軸３２の周面ほぼ全体に設けられた毛３４に当接するよう、前記回転軸３２に対して略垂直に設けられたブレード６２と、該ブレード６２によって毛３４から払い落とされた紙粉３８を回収する回収ケース６４，前記回収ケース６４を支持するとともに、前記駆動部８０内に設けられた昇降モータ（図示せず）の駆動を伝達する支持体７８により構成されている。また、本実施例では、更に、回収した紙粉３８を吸引する吸引ポンプ７４，該吸引ポンプ７４と前記回収ケース６４を接続するホース７２，前記吸引ポンプ７４の手前に設けられたフィルタ７６を備えている。
【００１４】
前記回収ケース６４は、毛３４から払い落とされた紙粉３８を受けることができるように内側が中空となっており、その前面６４Ａ（収納ケース１２の前面カバー１４側）の上方には、前記ブレード６２がボルト６６及びナット６８で取付固定されている。なお、回収ケース６４の前面６４Ａに、上下方向に複数の穴を設けておくことにより、ブレード６２の取付位置を調節するようにしてもよい。一方、回収ケース６４の背面６４Ｂの上方は、内側へ向けて若干傾斜した傾斜面７０となっており、該傾斜面７０と前記ブレード６２で挟まれた部分によって紙粉３８の回収口が形成されている。
【００１５】
このような回収ケース６４の背面６４Ｂ側には、適宜間隔で複数のホース７２が接続されている。該ホース７２としては、例えば、前記回収ケース６４の昇降運動を妨げることがないような長さ及び柔軟性を備えているものが使用される。更に、前記ホース７２には、フィルタ７６を介して吸引ポンプ７４が接続されており、該吸引ポンプ７４を駆動することによって、回収ケース６４に回収された紙粉３８がホース７２を介して吸引され、フィルタ７６の表面に蓄積される。以上のような回収ケース６４は、背面６４Ｂ側が前記支持体７８に適宜手段で固定されており、該支持体７８を介して駆動部８０の昇降モータの駆動が伝達されると、前記ペースタブラシ３０に対して図２の矢印Ｆ２に示す方向に昇降運動が可能となっている。
【００１６】
更に、収納ケース１２の側面カバー１６Ａの外側には、前記駆動部８０内の回転モータや昇降モータの駆動の開始／停止を切り替えたり、調速などを行ったりするためのスイッチ８４を備えた制御部８２が設けられている。なお、制御部８２に設けられたスイッチ８４によって、上面カバー２０の開閉を自動的に行うようにしたり、前記吸引ポンプ７４の駆動の制御を行ったりするようにしてもよい。
【００１７】
次に、本実施例の作用を説明する。輪転機を繰り返し使用して給紙部の紙継装置のペースタブラシ３０に紙粉３８が蓄積したら、前記ペースタブラシ３０を紙継装置から取り外す。そして、クリーナー１０の上面カバー２０を開き、ペースタブラシ３０の一方のベアリング３６Ａを、一方の側面カバー１６Ａの内側の支持台４０の受部４２に嵌めるとともに、他方のベアリング３６Ｂを、他方の側面カバー１６Ｂの内側のホルダ５０の下部５０Ｂに収納する。そして、支持台４０側のホルダ４４でベアリング３６Ａの上部を覆い、ピン４６を穴４８に差し込んでベアリング３６Ａを回転可能に支持するとともに、ホルダ５０の上部５０Ａをベアリング３６Ｂに被せてフック５６とレバー５８で固定し、ホルダ５０の切欠５２によってペースタブラシ３０の回転軸３２を回転しないように把持する。
【００１８】
以上のようにしてペースタブラシ３０を収納ケース１２の内側に固定したら、上面カバー２０を閉じるとともに、スイッチ８４の操作によって、駆動部８０の昇降モータを駆動し、図２に示すように、ブレード６２が毛３４に当接する位置まで支持体７８を矢印Ｆ２に示す方向に上昇させる。なお、ここでは、上面カバー２０を閉じてからブレード６２を毛３４に当接させることとしたが、ブレード６２を毛３４に当接させたことを確認してから上面カバー２０を閉じるようにしてもよい。次に、スイッチ８４の操作によって駆動部８０の回転モータを駆動させ、軸５４及びホルダ５０を介してペースタブラシ３０を図２に矢印Ｆ１で示す方向に回転させると同時に、吸引ポンプ７４を駆動させる。すると、ペースタブラシ３０が回転するにつれて、毛３４に付着していた紙粉３８はブレード６２に当たって払い落とされる。払い落とされた紙粉３８は、回収ケース６４内に回収されて、更に、ホース７２を介して吸引ポンプ７４によって吸引され、フィルタ７６表面に蓄積する。
【００１９】
ペースタブラシ３０を、例えば数分〜数十分程度回転させて毛３４に付着した紙粉３８が除去されたら、吸引ポンプ７４及び回転モータの駆動を停止する。その後、昇降モータを駆動して、ブレード６２が毛３４に当接しない位置まで支持体７８を図２の矢印Ｆ２に示す方向に下げる。そして、上面カバー２０を開け、ホルダ４４によるベアリング３６Ａの支持とホルダ５０による回転軸３２の固定を解除し、ペースタブラシ３０を収納ケース１２から取り出して、紙継装置に再度装着して使用する。なお、フィルタ７６に蓄積した紙粉３８は、定期的に，あるいは、紙粉３８の蓄積量に応じて適宜タイミングでフィルタ７６を取り外して清掃するか、フィルタごと交換することによって処理される。
【００２０】
このように、実施例１によれば、ペースタブラシ３０を、収納ケース１２によって回転可能かつ着脱可能に支持するとともに、前記ペースタブラシ３０に沿って設けられたブレード６２を、回転状態のペースタブラシ３０の毛３４に当接させることとしたので、ペースタブラシ３０に付着した紙粉３８を自動的に除去して作業効率の向上を図ることができる。また、回収ケース６４内に払い落とされた紙粉３８を、吸引ポンプ７４で吸引して回収するとともに、ペースタブラシ３０及び回収部６０を収納ケース１２内に収納することとしたので、作業場を汚すことなくペースタブラシ３０の紙粉除去を行うことができる。
【００２１】
なお、本考案は、上述した実施例に限定されるものではなく、本考案の要旨を逸脱しない範囲内において種々変更を加え得ることができる。例えば、以下のものも含まれる。
(1)前記実施例のクリーナー１０の形状，大きさは一例であり、ペースタブラシ３０の形状，大きさに応じて、適宜変更可能である。
(2)前記実施例におけるペースタブラシ３０の支持機構や回転機構，ブレード６２及び回収ケース６４の昇降機構も一例であり、その他の公知の各種の機構を利用するようにしてよい。例えば、昇降機構については、空気圧を利用したものであってもよいし、油圧シリンダを利用したものなどであってもよい。また、前記実施例では、ブレードと回収手段を同時に昇降させたが、ブレードのみを昇降させることを妨げるものではない。また、ブレードと回収手段を個別に駆動するようにしてもよい。
(3)ホルダ５０の上下の固定機構も一例であり、例えば、フック５６やレバー５８を設ける代わりに、図３（Ｂ）に示すように上部５０Ａ及び下部５０Ｂの縁を延設し、これら延設部５０Ｃ及び５０Ｄを上下で重ね合わせて蝶ボルト５９で固定するなど、他の各種の公知の固定機構を用いてもよい。
(4)紙粉３８の回収・吸引機構も一例であり、同様の効果を奏するように適宜設計変更してよい。
【産業上の利用可能性】
【００２２】
本考案によれば、回転軸の周面ほぼ全面に毛が設けられたブラシを、回転可能かつ着脱可能に支持するとともに、前記ブラシの長手方向に沿って設けられたブレードを、回転状態のブラシに当接させて毛に付着した紙粉を払い落とし、その紙粉を回収手段で回収することとしたので、輪転機の給紙部分に設けられた紙継装置のペースタブラシのクリーナーの用途に適用できる。
【図面の簡単な説明】
【００２３】
【図１】本考案の実施例１の全体構成を示す斜視図である。
【図２】前記図１を＃Ａ−＃Ａ線に沿って切断して矢印方向に見た断面図である。
【図３】前記実施例のホルダの上下固定機構を示す断面図である。
【符号の説明】
【００２４】
１０：ペースタブラシクリーナー
１２：収納ケース
１４：前面カバー
１６Ａ，１６Ｂ：側面カバー
１８：背面カバー
２０：上面カバー
２２：窓
２４：ダンパー
３０：ペースタブラシ
３２：回転軸
３４：毛
３６Ａ，３６Ｂ：ベアリング
３８：紙粉
４０：支持台
４２：受部
４４：ホルダ
４６：ピン
４８：穴
５０：ホルダ
５０Ａ：上部
５０Ｂ：下部
５０Ｃ，５０Ｄ：延設部
５１：蝶番
５２：切欠
５４：軸
５６：フック
５８：レバー
５９：蝶ボルト
６０：回収部
６２：ブレード
６４：回収ケース
６４Ａ：前面
６４Ｂ：背面
６６：ボルト
６８：ナット
７０：傾斜面
７２：ホース
７４：吸引ポンプ
７６：フィルタ
７８：支持体
８０：駆動部
８２：制御部
８４：スイッチ
【図１】
0003101601.tif 000003
【図２】
0003101601.tif 000004
【図３】
0003101601.tif 000005